(57)【要約】【課題】  この考案の目的は、デザインの自由度を十分に確保しながら、マッサージがやりやすいマッサージ用ローラ付き装飾品を提供することである。【解決手段】  フレームＦにローラ３を回転自在に取り付けるとともに、このフレームＦには一対の握り部材４，４を、回転軸５，５を介して回動自在に設けてなり、この握り部材は４，４その回転軸５，５とは反対端に掛け止め用の突起６，６を設ける一方、上記フレームＦであって握り部材４，４を取り付けた側とは反対側に、上記掛け止め用の突起６，６がはまる掛け止め用の凹部７，７を形成し、上記凹部７，７に突起６，６を掛け止めた状態で、握り部材４，４がローラ３の側面に位置して装飾要素となり、凹部７，７から突起６，６を外して両握り部材４，４をローラ３とは反対方向に回動させた位置においてローラ３を握る機能を果たす構成にした点に特徴を有する。【選択図】  図１
0003105437.tif 000002
【実用新案登録請求の範囲】
【請求項１】
フレームにローラを回転自在に取り付けるとともに、このフレームには一対の握り部材を、回転軸を介して回動自在に設けてなり、この握り部材はその回転軸とは反対端に掛け止め用の突起を設ける一方、上記フレームであって握り部材を取り付けた側とは反対側に、上記掛け止め用の突起がはまる掛け止め用の凹部を形成し、上記凹部に突起を掛け止めた状態で、握り部材がローラの側面に位置して装飾要素となり、凹部から突起を外して両握り部材をローラとは反対方向に回動させた位置においてローラを握る機能を果たす構成にしたマッサージ用ローラ付き装飾品。
【考案の詳細な説明】
【技術分野】
【０００１】
この考案は、マッサージ用のローラを備えた装飾品に関する。
【背景技術】
【０００２】
この種の装飾品として非特許文献１に記載されたものが従来から知られている。この従来の装飾品は、支持軸にローラを回転自在に設けるとともに、この支持軸に握り部を直接かつ固定的に設けていた。このようにした握り部にはリングを形成し、このリングに装飾用のクサリを通し、マッサージ用として使用しないときには、このクサリを首にかけてローラそのものを装飾要素として利用するものである。
なお、上記ローラをマッサージ用として使用するときには、上記握り部を指で持って、ローラを肌に押しつけて転がすようにする。このようにローラを肌に押しつけながら転がすようにすると、転がっているローラの押しつけ力によって、肌に適度な刺激を与え、所期のマッサージ効果が達成される。
【特許文献１】実用新案登録第３０９２２７９号公報
【考案の開示】
【考案が解決しようとする課題】
【０００３】
上記した従来の装飾品は、ローラを支持する支持軸に握り部を直接かつ固定的に設けているので、装飾用としてのデザインの上からも、その握り部をそれほど大きくできないという制約がった。しかし、この握り部は大きければ大きいほど握りやすくなる。握り部が握りやすければ、当然のこととして、マッサージの際により強い力を肌に作用させることができ、それだけマッサージ効果も期待できることになる。
しかしながら、デザイン上の制約から握り部をそれほど大きくできないので、それを強く握ることができない。そのためにマッサージをするときにローラを肌に強く押しつけられず、その分、マッサージ効果が損なわれるという問題があった。
【０００４】
また、握り部を支持軸に直接かつ固定的に設けているので、たとえ、その握り部を小さくしたとしても、デザインの自由度が損なわれるという問題を解消しきれない。なぜなら、握り部を握りやすくするためには、どうしても、その位置などが限定されてしまうからである。例えば、上記従来の装飾品では、支持軸の延長線上に握り部を設けざるをえないという制約がでてくる。いずれにしても、握り部がデザイン上の制約条件になるという問題を解消できなかった。
この考案の目的は、デザインの自由度を十分に確保しながら、マッサージがやりやすいマッサージ用ローラ付き装飾品を提供することである。
【課題を解決するための手段】
【０００５】
この考案は、フレームにローラを回転自在に取り付けるとともに、このフレームには一対の握り部材を、回転軸を介して回動自在に設けてなり、この握り部材はその回転軸とは反対端に掛け止め用の突起を設ける一方、上記フレームであって握り部材を取り付けた側とは反対側に、上記掛け止め用の突起がはまる掛け止め用の凹部を形成し、上記凹部に突起を掛け止めた状態で、握り部材がローラの側面に位置して装飾要素となり、凹部から突起を外して両握り部材をローラとは反対方向に回動させた位置においてローラを握る機能を果たす構成にした点に特徴を有する。
【考案の効果】
【０００６】
この考案は、上記のように構成したので、握り部材を装飾要素として利用することができる。したがって、デザインの自由度を十分に確保して、全体的な装飾機能を向上させることができる。また、ローラをマッサージ用に使用するときには、握り部材をローラとは反対方向に回動させられるので、握り部材を十分に長くすることができる。握り部材を長くできるので、それをしっかりと握ることができる。握り部材をしっかり握れるので、その分、マッサージがやりやすくなる。
【考案を実施するための最良の形態】
【０００７】
図示の実施形態におけるフレームＦは、上側支持片１と下側支持片２とを備えている。そして、これら両支持片１，２間には装飾機能を備えたローラ３を回転自在に支持している。ローラ３に装飾機能を持たせるために、例えば、このローラ３を金地金で構成するとともに、その表面に彫刻を施している。なお、ローラ３の表面に彫刻を施すときに、その彫刻による凹凸が、マッサージにも有効で、かつ、装飾的にもおもしろさを醸し出していればさらに効果的である。また、金地金以外の金属を使用したときには、その表面に金メッキなどの表面処理を施すことができること当然である。
【０００８】
上記のようにしたフレームＦの上側支持片１には、一対の握り部材４，４を回動自在にして設けている。すなわち、この握り部材４，４は、その基端を上側支持片１にヒンジ結合して、そのヒンジ５，５を中心にして１８０度以上の範囲で回動自在にしている。なお、これら握り部材４，４は、１８０度の位相をずらした位置で互いに対向する関係にしている。また、上記ヒンジ５，５がこの考案の回転軸を構成するものである。
上記のようにした一対の握り部材４，４の先端には、掛け止め用の突起６，６を形成している。
【０００９】
一方、上記下側支持片２には、握り部材４，４の突起６，６がはまる掛け止め用の凹部７，７を形成している。この凹部７，７に対して上記突起６，６を強制的に押し込むことによって、当該突起６，６が凹部７，７に掛け止められる。しかも、それらが掛け止められた状態で、握り部材４，４を強制的に開くように回動したとき、突起６，６と凹部７，７との掛け止め状態が解除される構成にしている。
【００１０】
また、上記のように凹部７，７に突起６，６を掛け止めているときには、図１に示すように握り部材４，４がローラ３の両側にあって装飾要素として機能する。したがって、この握り部材４，４に彫刻等を施しておけば、図１の状態すなわち凹部７，７に突起６，６を掛け止めている状態では、握り部材４，４が何の違和感もなく装飾要素として認識されることになる。
なお、上記フレームＦの上側支持片１には、掛け止めリング８を固定するとともに、この掛け止めリング８につなげた連繋リング９に首掛け用のクサリ１０を通している。
【００１１】
次に、この装飾品の使用態様を説明する。
上記装飾品を装飾用として使用するときには、図１に示すように、一対の握り部材４，４の先端における突起６，６を、下側支持片２に形成した凹部７，７にはめて、握り部材４，４を閉じた状態にする。このようにすることによって、全体的には、ローラ３の両側に握り部材４，４が位置して、これらローラ３および握り部材４，４が相まって、一つの装飾品としてのまとまりを示す。したがって、握り部材４，４に彫刻やメッキなどの表面処理を施せば、装飾品としてデザインに優れたものになる。
【００１２】
上記の状態から、今度は、当該装飾品をマッサージ用として使用するときには、握り部材４，４の突起６，６を凹部７，７から強制的に外して、その握り部材４，４を左右に開く。さらに、それら両握り部材４，４を１８０度以上回動して、図３に示すように握り部材４，４の先端部分を背中合わせにする。言い換えると、握り部材４，４を図３に示すように上側支持片１の真下に移動させる。
【００１３】
上記のようにすることによって、両方の握り部材４，４が相まって取っ手を構成することになる。したがって、この取っ手を持ってローラ３を肌に強く押し付けながら、それを転がすことができる。しかも、この握り部材４，４は、ローラ３よりも常に長い長さを保持することになる。この点は、図１の折り畳み状態から明らかである。
なお、上記実施形態においては、上側支持片１と下側支持片２というように分けたが、上側あるいは下側とは、あくまでも相対的なもので、実体としては上側あるいは下側という概念に限定されるものではない。
【図面の簡単な説明】
【００１４】
【図１】握り部材を折り畳んだ状態の一部断面図である。
【図２】握り部材を開いた状態の断面図である。
【図３】握り部材を開いた状態の断面図である。
【符号の説明】
【００１５】
Ｆ      フレーム
３      ローラ
４      握り部材
６      突起
７      凹部
【図１】
0003105437.tif 000003
【図２】
0003105437.tif 000004
【図３】
0003105437.tif 000005